(57)【要約】      （修正有）【課題】片手しか使えない人や力の弱い人でも容器の蓋を容易に開閉できる蓋開閉具を提供する。【解決手段】容器４０の蓋４２を回転させて開閉する蓋開閉具３０であって、蓋開閉具の外周を囲む外周壁と、この外周壁の内側に張り渡された薄い内側壁とから容器本体４２側蓋開閉具２０と蓋側蓋開閉具を構成し、この外周壁は枠状に剛性を高く形成され、この内側壁は剛性を低くして伸縮可能に構成されたことを特徴とする蓋開閉具であり、容器本体側蓋開閉具の上に容器を置いて、容器の蓋の上に蓋側蓋開閉具を被せて、蓋側蓋開閉具を押さえながら回転させて蓋を開閉させる。【選択図】図５
2016050022.tif 000002
【特許請求の範囲】
【請求項１】
容器の蓋を回転させて開閉する蓋開閉具であって、蓋開閉具の外周を囲む外周壁と、この外周壁の内側に張り渡された薄い内側壁とから構成され、この外周壁は枠状に剛性を高く形成され、この内側壁は剛性を低くして伸縮可能に構成されたことを特徴とする蓋開閉具。
【請求項２】
請求項１の蓋開閉具の内部には外周壁と内側壁で囲まれる空洞部を設けたことを特徴とする蓋開閉具。
【請求項３】
請求項１または請求項２の蓋開閉具の外周壁の底部の外径を内側壁の外径より大きくしたことを特徴とする蓋開閉具。
【請求項４】
請求項１、請求項２または請求項３の蓋開閉具で容器本体を固定する容器本体側蓋開閉具と蓋を回転させる蓋側蓋開閉具を構成して組み合わせたことを特徴とする蓋開閉具。
【発明の詳細な説明】
【技術分野】
【０００１】
この発明は、瓶や缶などの容器の蓋を回転させて開閉する蓋開閉具に関する。
【背景技術】
【０００２】
従来、容器の蓋が固くて開け難い際に、蓋を回転し易くする補助具や、片手が不自由な人が使用できる補助具が開示されていた。
【先行技術文献】
【特許文献】
【０００３】
【特許文献１】特開２００１−１１４３９３
【特許文献２】実用新案登録第３０５０１８５号
【特許文献３】特開２００６−６２６９３
【発明の概要】
【発明が解決しようとする課題】
【０００４】
特許文献１の従来技術は、大小の蓋に対応できる補助具であったが、補助具を蓋に取り付けるとき両手が必要であった。
【０００５】
特許文献２の従来技術は、大小の蓋に対応でき、片手で補助具を取り付けることができるが、蓋を回すには両手が必要であった。また、蓋を回転するときの摩擦を大きくしただけで、回転トルクを大きくするものではなかった。
【０００６】
特許文献３の従来技術は、容器本体を食卓等の固定部材に固定して、蓋を開閉するものであるが、容器本体を固定する操作が複雑であり、蓋開閉補助具も複雑で嵩張るので、食卓や台所などに置いておくには邪魔になるという問題があった。
【課題を解決するための手段】
【０００７】
容器の蓋を回転させて開閉する蓋開閉具であって、蓋開閉具の外周を囲む外周壁と、この外周壁の内側に張り渡された薄い内側壁とから構成され、この外周壁は枠状に剛性を高く形成され、この内側壁は剛性を低くして伸縮可能に構成されたことを特徴とする蓋開閉具である。
【発明の効果】
【０００８】
上記の問題点を解決し、構造が簡単で使い勝手がよく、非使用時にも邪魔にならない蓋開閉具を提供する。
【図面の簡単な説明】
【０００９】
【図１】第一の実施例の容器本体側蓋開閉具の斜視図である。
【図２】第一の実施例の容器本体側蓋開閉具の断面図である。
【図３】第一の実施例の蓋側蓋開閉具を示す斜視図である。
【図４】第一の実施例の蓋側蓋開閉具の断面図である。
【図５】第一の実施例の蓋開閉具を容器に装着した斜視図である。
【図６】第一の実施例の蓋開閉具を容器に装着し、蓋を回転しようとする断面図である。
【図７】第一の実施例の蓋開閉具を容器に装着し、蓋を回転しようとするときの底部・角部の断面図である。
【図８】第一の実施例の蓋開閉具を容器に装着し、蓋を回転しようとするとき、上から見た平面図である。
【図９】第二の実施例の蓋開閉具の斜視図である。
【図１０】第二の実施例の蓋開閉具の断面図である。
【図１１】第三の実施例の蓋開閉具の断面図である。
【図１２】第四の実施例の蓋開閉具を示す斜視図である。
【図１３】第五の実施例の蓋開閉具を示す断面図である。
【図１４】第六の実施例の蓋開閉具の断面図である。
【図１５】第一の実施例の蓋開閉具の底面図である。
【図１６】第一の実施例の蓋開閉具の正面図、左側面図、右側面図、背面図である。
【図１７】第一の実施例の蓋開閉具の平面図である。
【図１８】第五の実施例の容器本体側蓋開閉具の底面図である。
【図１９】第五の実施例の容器本体側蓋開閉具の正面図、背面図、左側面図、右側面図である。
【図２０】第五の実施例の容器本体側蓋開閉具の平面図である。
【発明を実施するための形態】
【００１０】
容器の蓋を回転させて開閉する蓋開閉具であって、蓋開閉具の外周を囲む外周壁と、この外周壁の内側に張り渡された薄い内側壁とから構成され、この外周壁は枠状に剛性を高く形成され、この内側壁は剛性を低くして伸縮可能に構成されたことを特徴とする蓋開閉具である。
上記の蓋開閉具の内部には外周壁と内側壁で囲まれる空洞部を設けたことを特徴とする蓋開閉具である。
上記の蓋開閉具の外周壁の底部の外径を内側壁の外径より大きくしたことを特徴とする蓋開閉具である。
上記の蓋開閉具で容器本体を固定する容器本体側蓋開閉具と蓋を回転させる蓋側蓋開閉具を構成して組み合わせたことを特徴とする蓋開閉具である。
【実施例】
【００１１】
図１、図２、図３、図４は、第一の実施例の蓋開閉具１０であり、容器本体側蓋開閉具２０と蓋側蓋開閉具３０とで構成され、どちらもシリコンゴムなどの柔軟で弾力性のあるゴムやプラスチックで形成されている。また、摩擦係数の大きい材料を使用するのが望ましい。図１，図２に示すように、容器本体側蓋開閉具２０は、円筒形状または円錐形状の外周壁２２と、外周壁２２の内側に張り渡された内側壁２３とから構成されている。外周壁２２は厚さを大きくして剛性を高くし、内側壁２３は薄いシート状に形成されて剛性が低く伸縮が可能としてある。外周壁２２の中には硬質プラスチックや金属を挿入して剛性を上げても良い。
【００１２】
容器本体側蓋開閉具２０の外周壁２２の上端と下端は、互いに略平行な面内に形成されている。また、外周壁２２と内側壁２３の間には空洞部２８が形成されている。
図３，図４に示す蓋側蓋開閉具３０は、円錐形状の外周壁３２と内側壁３３とから構成されている。空洞部２８は必須ではないが他の構成は容器本体側蓋開閉具２０と類似である。
【００１３】
図５により、蓋開閉具１０の使用方法を説明する。容器本体側蓋開閉具２０の上に容器４０を置いて、容器４０の蓋４４の上に蓋側蓋開閉具３０を被せる。そして、手で蓋側蓋開閉具３０を押さえながら回転させ、蓋４４を開閉する。なお、蓋側蓋開閉具４０を使用せず、直接手で蓋４４を回してもよい。
【００１４】
この時の断面図を図６で示し、下部・左側の詳細を図７で示す。このとき、容器本体４２は力Fで下方に押され、内側壁２３を力Fで下方に押し、内側壁２３は図のように変形する。このことにより、内側壁２３が容器本体４２を包み込み容器本体側蓋開閉具２０と容器本体４２との摩擦力はより大きくなる。
【００１５】
即ち、容器本体４２が下方に押されると外周壁２２と内側壁２３が矢印Wの方向に倒れて、内側壁２３が容器本体４２の側壁を力Gで押圧する。この時の、容器本体４２と内側壁２３との摩擦力Mは次の様になる。
M＝F×μ+G×μ
ここで、μは容器本体４２と内側壁２３との摩擦係数である。
つまり、このような構成とすることにより、G×μだけ摩擦力が増大する効果が得られる。
ここで、内側壁２３とテーブル面に空洞部２８があるので、内側壁２３が下方に下がる余裕が確保してある。
【００１６】
さらに、図８により平面図で見た状況を説明する。容器本体４２がLの方向に回転すると、外周壁２２は拘束されているので内側壁２３は捻られて引き線２６方向に引かれて、内側壁２３が容器本体４２に巻き付く。このことにより、内側壁２３が容器本体４２を締め付ける力Gが増大する。その結果、M1＝G×μが大きくなり、摩擦抵抗M1がさらに大きくなる。そして、摩擦抵抗M1が大きくなるとGも大きくなる好循環が生まれる。
【００１７】
次に、図７により、容器本体側蓋開閉具２０と、これが置かれたテーブル面との摩擦トルクTを考える。外周壁２２がテーブル面を押す力はFであるので、摩擦トルクTは次の様になる。
T=F×μ１×D３
ここで、D3は外周壁２２の直径、μ１は外周壁２２とテーブル面の摩擦係数である。
即ち、D3をD1やD2より大きくとっているので、外周壁２２とテーブル面が滑り難くくなる効果を得ている。
【００１８】
次に、蓋側蓋開閉具３０と蓋４４との摩擦を考察すると、内側壁２３と容器本体４２との関係と同様、内側壁３３が変形して、蓋４４との摩擦力を向上することができる。また、内側壁３３より外周壁３２の外径が大きいので、蓋４４を回転するトルクも大きくすることができる。
【００１９】
図９、図１０は第二の実施例であり、外周壁２２の下方に放射状に凹部２７を設けたものである。外周壁２２をテーブル面とスリップし難くし、材料の節約の効果もある。
【００２０】
図１１は第三の実施例、図１３は第五の実施例であり、蓋側蓋開閉具３０に係合部３５を設けて、非使用時に蓋側蓋開閉具３０を容器本体側蓋開閉具２０の空洞部２８に挿入し係合部２５に係合させ、不用意にバラバラにならないようにしたものである。
【００２１】
図１２は第四の実施例であり、内側壁２３として、大きい内側壁２３Aと小さい内側壁２３Bを並べて設けたものである。これにより、大きい容器本体４２と小さい容器本体４２のどちらにもより対応し易くしている。
【００２２】
図１４は第六の実施例であり、内側壁２３の下面に第二の外周壁２９を設けたものである。これにより、蓋開閉具１０のサイズを大きくせず、大きい容器本体４２と小さい容器本体４２のどちらにも対応し易くしている。
【００２３】
以上の実施例の蓋開閉具は、蓋開閉具としてだけでなく、急須などを卓上に置く際の敷物としても、また開口部を上にすれば容器としても利用可能であるので、蓋開閉具として使用しないときでも邪魔にならない。
【産業上の利用可能性】
【００２４】
この発明の蓋開閉具は、片手が不自由な人だけでなく、両手が使えるが力の弱い人にも有用である。
【符号の説明】
【００２５】
１０は蓋開閉具
２０は容器本体側蓋開閉具
２２は外周壁
２３は内側壁
２５は係合部
２７は凹部
２８は空洞部
２９は第二の外周壁
３０は蓋側蓋開閉具
３２は外周壁
３３は内側壁
３５は係合部
３８は空洞部
４０は容器
４２は容器本体
４４は蓋
【図１】
2016050022.tif 000003
【図２】
2016050022.tif 000004
【図３】
2016050022.tif 000005
【図４】
2016050022.tif 000006
【図５】
2016050022.tif 000007
【図６】
2016050022.tif 000008
【図７】
2016050022.tif 000009
【図８】
2016050022.tif 000010
【図９】
2016050022.tif 000011
【図１０】
2016050022.tif 000012
【図１１】
2016050022.tif 000013
【図１２】
2016050022.tif 000014
【図１３】
2016050022.tif 000015
【図１４】
2016050022.tif 000016
【図１５】
2016050022.tif 000017
【図１６】
2016050022.tif 000018
【図１７】
2016050022.tif 000019
【図１８】
2016050022.tif 000020
【図１９】
2016050022.tif 000021
【図２０】
2016050022.tif 000022